(57)【要約】【課題】浴室内の浴室リモコンに洗面所空調機の浴室暖房スイッチが増やすことなく、使用者にとって使いづらいリモコンになることを抑制する浴室システムを提供する。【解決手段】浴室１０に設けられる浴室空調機１と、浴室１０に隣接する洗面所１１に設けられる洗面所空調機４と、洗面所１１に設けられ、浴室空調機１と洗面所空調機４を操作する洗面所リモコン６と、浴室１０に設けられ、浴室空調機１を操作する浴室リモコン２と、洗面所リモコン６および浴室リモコン２の操作に応じて浴室空調機１と洗面所空調機４の動作を制御する制御部５と、を備え、制御部５は、洗面所空調機４の動作中において、浴室リモコン２が操作されると浴室空調機１の動作状況を維持した状態で洗面所空調機４の動作を停止することを特徴とする浴室システム。【選択図】  図１
2020051699.tif 000002
【特許請求の範囲】
【請求項１】
浴室に設けられる浴室空調機と、
浴室に隣接する洗面所に設けられる洗面所空調機と、
洗面所に設けられ、前記浴室空調機と前記洗面所空調機を操作する洗面所リモコンと、
浴室に設けられ、前記浴室空調機を操作する浴室リモコンと、
前記洗面所リモコンおよび前記浴室リモコンの操作に応じて前記浴室空調機と前記洗面所空調機の動作を制御する制御部と、
を備え、
前記制御部は、前記洗面所空調機の動作中において、
前記浴室リモコンが操作されると前記浴室空調機の動作状況を維持した状態で前記洗面所空調機の動作を停止する
ことを特徴とする浴室システム。
【請求項２】
前記洗面所空調機が動作中でかつ前記浴室空調機が動作中において、
前記制御部は、前記浴室リモコンが操作されたと判断すると、前記洗面所空調機を停止するよう構成されていることを特徴とする請求項１に記載の浴室システム。
【請求項３】
前記洗面所リモコンは
前記制御部に接続され、
前記浴室空調機および前記洗面所空調機は、前記制御部に接続され、
前記浴室リモコンは、前記浴室空調機に接続されることを特徴とする請求項２に記載の浴室システム。
【請求項４】
前記制御部は、前記洗面所空調機が停止状態において浴室リモコンが操作されると前記浴室空調機の動作を停止することを特徴とする請求項３の浴室システム。
【請求項５】
前記制御部は、前記洗面所空調機の動作が停止状態において、前記浴室リモコンを第１所定時間よりも短い時間操作されると前記浴室空調機の動作を停止することを特徴とする請求項１に記載の浴室システム。  
【請求項６】
前記制御部は、前記洗面所空調機の動作が停止状態において、前記浴室リモコンを第２所定時間よりも長い時間操作されるまたは複数回連続して操作されると前記浴室空調機の動作を停止するよう構成されていることを特徴とする請求項１に記載の浴室システム。
【発明の詳細な説明】
【技術分野】
【０００１】
本発明は、浴室システムに関する。
【背景技術】
【０００２】
従来から、浴室に設けられる浴室空調機や洗面所に設けられる洗面所空調機を操作する浴室リモコンや洗面所リモコンを有する浴室システムが知られている。
【０００３】
例えば特許文献１には、熱源機から供給される温水を利用して浴室に隣接する脱衣所の暖房を行う洗面所空調機であり、浴室に設置する熱源機用のリモコンに洗面所空調機用の操作スイッチを付設する浴室システムが開示されている。  
【０００４】
この浴室システムは、洗面所空調機の暖房スイッチを浴室リモコンに追加し、洗面所空調機を直接操作するものである。
【先行技術文献】
【特許文献】
【０００５】
【特許文献１】特開２００６−２７５３４１号公報
【発明の概要】
【発明が解決しようとする課題】
【０００６】
しかしながら、浴室内の浴室リモコンに洗面所空調機用暖房スイッチを設けてしまうと、スイッチが増えてしまい、デザイン性が低下すると共に、浴室システムの使い勝手が低下してしまう。
【０００７】
本発明は、このような課題に鑑みてなされたものであり、浴室リモコンで洗面所空調機を操作する際にリモコンのデザイン性が低下することを抑制するとともに、使い勝手が低下することを抑制する浴室システムを提供することを目的としている。
【課題を解決するための手段】
【０００８】
本発明の第１態様に係る浴室システムは、浴室に設けられる浴室空調機と、浴室に隣接する洗面所に設けられる洗面所空調機と、洗面所に設けられ、前記浴室空調機と前記洗面所空調機を操作する洗面所リモコンと、浴室に設けられ、前記浴室空調機を操作する浴室リモコンと、前記洗面所リモコンおよび前記浴室リモコンの操作に応じて前記浴室空調機と前記洗面所空調機の動作を制御する制御部と、を備え、前記制御部は、前記洗面所空調機の動作中において、前記浴室リモコンが操作されると前記浴室空調機の動作状況を維持した状態で前記洗面所空調機の動作を停止することを特徴とする。
【０００９】
この構成よれば、制御部は、洗面所空調機の動作中において、浴室リモコンが操作されると浴室空調機の動作状況を維持した状態で洗面所空調機の動作を停止することができるため、浴室リモコンに洗面所空調機を操作するためのスイッチを追加する必要がない。そのため、スイッチが増えることによるデザイン性の低下や使い勝手の低下を抑制することができる。  
【００１０】
本発明の第２態様に係る浴室に設けられる浴室システムは、第１態様において前記洗面所空調機が動作中でかつ前記浴室空調機が動作中において、前記制御部は、前記浴室リモコンが操作されたと判断すると、前記洗面所空調機を停止するよう構成されていることを特徴とする。
【００１１】
この構成よれば、洗面所空調機が動作中でかつ浴室空調機が動作中において、制御部が浴室リモコンが操作されたと判断すると洗面所空調機を停止できるため、浴室内に洗面所空調機用のリモコンを設ける必要が無く、デザイン性が低下することを抑制できる。
【００１２】
本発明の第３態様に係る浴室に設けられる浴室システムは、第２態様において前記制御部に接続され、前記浴室空調機および前記洗面所空調機は、前記制御部に接続され、前記浴室リモコンは、前記浴室空調機に接続されるように構成されていることを特徴とする。
【００１３】
この構成よれば、浴室リモコンを操作すると、洗面所空調機の制御部を、介して洗面所空調機のリモコンとして、洗面所空調機の動作を停止することができる。そのため、浴室リモコンに専用スイッチ等を増やすことがなく、デザイン性が低下することを抑制できる。
【００１４】
本発明の第４態様に係る浴室に設けられる浴室システムは、第３態様において前記制御部は、前記洗面所空調機が停止状態において浴室リモコンが操作されると前記浴室空調機の動作を停止するよう構成されていることを特徴とする。
【００１５】
この構成よれば、浴室リモコンが操作されると浴室空調機の動作を停止することができる。そのため、浴室リモコンに専用スイッチ等を増やすことがなく、デザイン性が低下することを抑制できる。
【００１６】
本発明の第５態様に係る浴室に設けられる浴室システムは、第１態様において、前記制御部は、前記洗面所空調機の動作が停止状態において、前記浴室リモコンを所定時間よりも短い時間操作されると前記浴室空調機の動作を停止するよう構成されていることを特徴とする。
【００１７】
この構成よれば、浴室リモコンの操作、具体的には、操作時間によって浴室空調機の動作を停止することができるため、新なスイッチ等を増やすことなく、デザイン性が低下することを抑制できる。
【００１８】
本発明の第６態様に係る浴室に設けられる浴室システムは、第１態様において、前記制御部は、前記洗面所空調機の動作が停止状態において、前記浴室リモコンを所定時間よりも長い時間操作されるまたは複数回連続して操作されると前記浴室空調機の動作を停止するよう構成されていることを特徴とする。
【００１９】
この構成よれば、浴室リモコンの操作、具体的には、操作時間や複数回連続して操作されることによって浴室空調機の動作を停止することができるため、新たなスイッチ等を増やすことなく、デザイン性が低下することを抑制できる。
【発明の効果】
【００２０】
本発明によれば、浴室リモコンで洗面所空調機を操作する際にリモコンのデザイン性が低下することを抑制するとともに、使い勝手が低下することを抑制する浴室システムを提供することができる。
【図面の簡単な説明】
【００２１】
【図１】本発明の第１実施形態に係る浴室システムを模式的に示す平面図である。
【図２】本発明の第１実施形態に係る浴室システムの動作フローチャートである。
【図３】本発明の第１実施形態に係る浴室システムの動作フローチャートである。
【図４】本発明の第１実施形態に係る浴室システムの動作フローチャートである。
【図５】本発明の第１実施形態に係る浴室システムの動作フローチャートである。
【発明を実施するための形態】
【００２２】
以下、添付図面を参照しながら本発明の実施の形態について説明する。
【００２３】
[第１実施形態]
まず、本発明の実施の形態の中で、第１実施形態（以下、「本実施形態」と称す。）に係る浴室システム１２について説明する。図１は、浴室システム１２の概略構成図である。
【００２４】
図１に示すように、浴室１０には、浴室空調機１と浴室リモコン２と、が設けられている。
浴室空調機１は、浴室１０内の温度を上昇させる暖房機能や、浴室１０内を乾燥させる乾燥機能や浴室１０内の空気を換気する換気機能等を有している。また、図示しないが、浴室１０には、浴槽や湯水を吐水する吐水装置が設けられていてもよい。
【００２５】
浴室リモコン２は、暖房ボタン３を有し、暖房ボタン３が操作された場合に、信号を浴室空調機１に送信する。
【００２６】
図１に示すように、洗面所１１には、洗面所空調機４と、洗面所リモコン６、とが設けられている。
洗面所空調機４は、洗面所１１内の温度を上昇させる暖房機能や、洗面所１１内を乾燥させる乾燥機能や、洗面所１１内の空気を換気する換気機能等を有している。
【００２７】
洗面所リモコン６は、浴室空調機１の暖房機能の開始や停止を操作するための浴室暖房スイッチ７と、浴室１０と洗面所１１との２室の暖房の開始や停止を操作するための２室暖房スイッチ８と、洗面所１１のみの暖房を開始や停止を操作するための洗面所暖房スイッチ９とを有する。また、洗面所リモコン６は、浴室空調機１および洗面所空調機４を制御する制御部５を有している。なお、制御部５は、必ずしも洗面所リモコン６に設ける必要は無い。
【００２８】
次に、図２から図５を参照して、浴室システム１２の動作について説明する。図２から図５は、浴室システムの動作フローチャートである。
【００２９】
図２に示すように、まず制御部５は、洗面所リモコン６の２室ボタン８が操作されたか否かを判断する（ステップＳ２）。制御部５は、洗面所リモコン６の２室ボタン８が操作されたと判断した場合は、後述するステップＳ３に進む。制御部５は、２室ボタン８が操作されたと判断していない場合は、後述するステップＳ１８に進む。
【００３０】
制御部５は洗面所空調機４が動作中であるか否かを判断する（ステップＳ３）。制御部５は、洗面所空調機４が動作中であると判断した場合は、後述するステップＳ４に進む。制御部５は、ステップＳ３にて洗面所空調機４が動作したと判断していない場合は、後述するステップＳ１１に進む。
【００３１】
制御部５は浴室空調機１が動作中であるか否かを判断する（ステップＳ４）。制御部５は、浴室空調機１が動作中であると判断した場合は、後述するステップＳ５に進む。制御部５は、浴室空調機１が動作していないと判断した場合は、後述するステップＳ７に進む。
【００３２】
制御部５は、ステップＳ４にて浴室空調機１が動作中であると判断した場合は、浴室リモコン２の暖房ボタン３が第１所定時間よりも短い時間操作されたか否かを判断する（ステップＳ５）。本件における「第１所定時間よりも短い時間操作された」とは、第１所定時間よりも短く１回操作されることを指す。より具体的に、第１所定時間とは、２００ｍｓ未満の時間である。制御部５は、ステップＳ５にて浴室リモコン２の暖房ボタン３が第１所定時間よりも短い時間操作されたと判断した場合は、洗面所空調機４の動作を停止する（ステップＳ６）。制御部５は、ステップＳ５にて浴室リモコン２の暖房ボタン３が第１所定時間よりも短い時間操作されたと判断していない場合は、洗面所空調機４の動作を継続する（ステップＳ３５）。
制御部５は、ステップＳ４からステップＳ６において、浴室空調機１が動作中でかつ暖房ボタン３が第一所定時間よりも短い時間操作されたと判断した場合は、浴室空調機１の動作状況を維持した状態で洗面所空調機４の動作を停止するよう制御する。
【００３３】
制御部５は、ステップＳ４にて浴室空調機１が動作中であると判断していない場合は、浴室リモコン２の暖房ボタン３が第１所定時間よりも短い時間操作されたか否かを判断する（ステップＳ７）。制御部５は、ステップＳ７にて浴室リモコン２の暖房ボタン３が第１所定時間よりも短い時間操作されたと判断した場合は、浴室空調機１の動作を開始する（ステップＳ１０）。制御部５は、ステップＳ７にて浴室リモコン２の暖房ボタン３が所定時間よりも短い時間操作されたと判断していない場合は、後述するステップＳ８に進む。
【００３４】
制御部５は、ステップＳ７にて浴室リモコン２の暖房ボタン３が第１所定時間よりも短い時間操作されたと判断していない場合は、浴室リモコン２の暖房ボタン３が第２所定時間よりも長い時間操作されたか否かを判断する（ステップＳ８）。本件における「第２所定時間よりも長い時間操作された」とは、第２所定時間よりも長く１回操作されることを指す。より具体的に、第２所定時間とは、２００ｍｓ以上の時間である。制御部５は、ステップＳ８にて浴室リモコン２の暖房ボタン３が第２所定時間よりも長い時間操作されたと判断した場合は、浴室空調機１の動作を開始する（ステップＳ６）。制御部５は、ステップＳ８にて浴室リモコン２の暖房ボタン３が第２所定時間よりも長い時間操作されたと判断していない場合は、後述するステップＳ９に進む。
【００３５】
制御部５は、ステップＳ８にて浴室リモコン２の暖房ボタン３が第２所定時間よりも長い時間操作されたと判断していない場合は、浴室リモコン２の暖房ボタン３が複数回連続して操作されたか否かを判断する（ステップＳ９）。本件における「複数回連続して操作された」とは、２回以上連続して操作されることを指す。制御部５は、ステップＳ９にて浴室リモコン２の暖房ボタン３が複数回連続して操作されたと判断した場合は、浴室空調機１の動作を開始する（ステップＳ１０）。制御部５は、ステップＳ９にて浴室リモコン２の暖房ボタン３が複数回連続して操作されたと判断していない場合は、浴室空調機１の動作は停止を継続する（ステップＳ３５）。
【００３６】
制御部５は浴室空調機１が動作中であるか否かを判断する（ステップＳ１１）。制御部５は、浴室空調機１が動作中であると判断した場合は、後述するステップＳ１２に進む。制御部５は、浴室空調機１が動作していないと判断した場合は、後述するステップＳ１４に進む。
【００３７】
制御部５は、ステップＳ１１にて浴室空調機１が動作中であると判断した場合は、浴室リモコン２の暖房ボタン３が第１所定時間よりも短い時間操作されたか否かを判断する（ステップＳ１２）。制御部５は、ステップＳ１２にて浴室リモコン２の暖房ボタン３が第１所定時間よりも短い時間操作されたと判断した場合は、浴室空調機１の動作を停止する（ステップＳ１３）。制御部５は、ステップＳ１２にて浴室リモコン２の暖房ボタン３が第１所定時間よりも短い時間操作されたと判断していない場合は、洗面所空調機４の動作を継続する（ステップＳ３５）。
【００３８】
制御部５は、ステップＳ１１にて浴室空調機１が動作中であると判断していない場合は、浴室リモコン２の暖房ボタン３が第１所定時間よりも短い時間操作されたか否かを判断する（ステップＳ１４）。制御部５は、ステップＳ１４にて浴室リモコン２の暖房ボタン３が第１所定時間よりも短い時間操作されたと判断した場合は、浴室空調機１の動作を開始する。（ステップＳ１７）制御部５は、ステップＳ１４にて浴室リモコン２の暖房ボタン３が第１所定時間よりも短い時間操作されたと判断していない場合は、後述するステップＳ１５に進む。
【００３９】
制御部５は、ステップＳ１４にて浴室リモコン２の暖房ボタン３が第１所定時間よりも短い時間操作されたと判断していない場合は、浴室リモコン２の暖房ボタン３が第２所定時間よりも長い時間操作されたか否かを判断する（ステップＳ１５）。制御部５は、ステップＳ８にて浴室リモコン２の暖房ボタン３が第２所定時間よりも長い時間操作されたと判断した場合は、浴室空調機１の動作を開始する（ステップＳ１７）。制御部５は、ステップＳ１５にて浴室リモコン２の暖房ボタン３が第２所定時間よりも長い時間操作されたと判断していない場合は、後述するステップＳ１６に進む。
【００４０】
制御部５は、ステップＳ１５にて浴室リモコン２の暖房ボタン３が第２所定時間よりも長い時間操作されたと判断していない場合は、浴室リモコン２の暖房ボタン３が複数回連続して操作されたか否かを判断する（ステップＳ１６）。制御部５は、ステップＳ１６にて浴室リモコン２の暖房ボタン３が複数回連続して操作されたと判断した場合は、浴室空調機１の動作を開始する（ステップＳ１７）。制御部５は、ステップＳ１６にて浴室リモコン２の暖房ボタン３が複数回連続して操作されたと判断していない場合は、浴室空調機１の動作は停止を継続する（ステップＳ３５）。
【００４１】
ステップＳ２に戻り、制御部５は、２室暖房ボタン８が操作されていないと判断すると、洗面所リモコン６の洗面所暖房ボタン９が操作されたか否かを判断する（ステップＳ１８）。制御部５は、洗面所リモコン６の洗面所暖房ボタン９が操作されたと判断した場合は、後述するステップＳ１９に進む。制御部５は、洗面所暖房ボタン９が操作されたと判断していない場合は、後述するステップＳ２８に進む。
【００４２】
制御部５は洗面所空調機４が動作中であるか否かを判断する（ステップＳ１９）。制御部５は、洗面所空調機４が動作中であると判断した場合は、後述するステップＳ２０に進む。制御部５は、ステップＳ３にて洗面所空調機４が動作したと判断していない場合は、後述するステップＳ２８に進む。
【００４３】
制御部５は、洗面所リモコン６の浴室暖房ボタン７が操作されたか否かを判断する（ステップＳ２０）。制御部５は、洗面所リモコン６の浴室暖房ボタン７が操作されたと判断した場合は、後述するステップＳ２１に進む。制御部５は、浴室暖房ボタン７が操作されたと判断していない場合は、後述するステップＳ２４に進む。
【００４４】
制御部５は浴室空調機１が動作中であるか否かを判断する（ステップＳ２１）。制御部５は、浴室空調機１が動作中であると判断した場合は、後述するステップＳ２２に進む。制御部５は、ステップＳ２１にて浴室空調機１が動作したと判断していない場合は、後述するステップＳ２４に進む。
【００４５】
制御部５は、ステップＳ２１にて浴室空調機１が動作中であると判断した場合は、浴室リモコン２の暖房ボタン３が第１所定時間よりも短い時間操作されたか否かを判断する（ステップＳ２２）。制御部５は、ステップＳ２２にて浴室リモコン２の暖房ボタン３が第１所定時間よりも短い時間操作されたと判断した場合は、洗面所空調機４の動作を停止する（ステップＳ２３）。制御部５は、ステップＳ２２にて浴室リモコン２の暖房ボタン３が所定時間よりも短い時間操作されたと判断していない場合は、洗面所空調機４の動作を継続する（ステップＳ３５）。
制御部５は、ステップＳ２１からステップＳ２３において、浴室空調機１が動作中でかつ暖房ボタン３が第一所定時間よりも短い時間操作されたと判断した場合は、浴室空調機１の動作状況を維持した状態で洗面所空調機４の動作を停止するよう制御する。
【００４６】
制御部５は、ステップＳ２１にて浴室空調機１が動作中であると判断していない場合は、浴室リモコン２の暖房ボタン３が第１所定時間よりも短い時間操作されたか否かを判断する（ステップＳ２４）。制御部５は、ステップＳ２４にて浴室リモコン２の暖房ボタン３が第１所定時間よりも短い時間操作されたと判断した場合は、浴室空調機１の動作を開始する。（ステップＳ２７）制御部５は、ステップＳ２４にて浴室リモコン２の暖房ボタン３が第１所定時間よりも短い時間操作されたと判断していない場合は、後述するステップＳ２５に進む。
【００４７】
制御部５は、ステップＳ２４にて浴室リモコン２の暖房ボタン３が第１所定時間よりも短い時間操作されたと判断していない場合は、浴室リモコン２の暖房ボタン３が第２所定時間よりも長い時間操作されたか否かを判断する（ステップＳ２５）。制御部５は、ステップＳ２５にて浴室リモコン２の暖房ボタン３が第２所定時間よりも長い時間操作されたと判断した場合は、浴室空調機１の動作を開始する（ステップＳ２７）。制御部５は、ステップＳ２５にて浴室リモコン２の暖房ボタン３が第２所定時間よりも長い時間操作されたと判断していない場合は、後述するステップＳ２６に進む。
【００４８】
制御部５は、ステップＳ２５にて浴室リモコン２の暖房ボタン３が第２所定時間よりも長い時間操作されたと判断していない場合は、浴室リモコン２の暖房ボタン３が複数回連続して操作されたか否かを判断する（ステップＳ２６）。制御部５は、ステップＳ２６にて浴室リモコン２の暖房ボタン３が複数回連続して操作されたと判断した場合は、浴室空調機１の動作を開始する（ステップＳ２７）。制御部５は、ステップＳ２６にて浴室リモコン２の暖房ボタン３が複数回連続して操作されたと判断していない場合は、浴室空調機１の動作は停止を継続する（ステップＳ３５）。
【００４９】
制御部５は、ステップＳ２８にて浴室空調機１が動作中であると判断した場合は、浴室リモコン２の暖房ボタン３が第１所定時間よりも短い時間操作されたか否かを判断する（ステップＳ２９）。制御部５は、ステップＳ２９にて浴室リモコン２の暖房ボタン３が第１所定時間よりも短い時間操作されたと判断した場合は、浴室空調機１の動作を停止する（ステップＳ２３）。制御部５は、ステップＳ２９にて浴室リモコン２の暖房ボタン３が第１所定時間よりも短い時間操作されたと判断していない場合は、浴室空調機１の動作を継続する（ステップＳ３５）。
【００５０】
制御部５は、ステップＳ２８にて浴室空調機１が動作中であると判断していない場合は、浴室リモコン２の暖房ボタン３が第１所定時間よりも短い時間操作されたか否かを判断する（ステップＳ３１）。制御部５は、ステップＳ３１にて浴室リモコン２の暖房ボタン３が第１所定時間よりも短い時間操作されたと判断した場合は、浴室空調機１の動作を開始する（ステップＳ３４）。制御部５は、ステップＳ３１にて浴室リモコン２の暖房ボタン３が第１所定時間よりも短い時間操作されたと判断していない場合は、後述するステップＳ３２に進む。
【００５１】
制御部５は、ステップＳ３１にて浴室リモコン２の暖房ボタン３が第１所定時間よりも短い時間操作されたと判断していない場合は、浴室リモコン２の暖房ボタン３が第２所定時間よりも長い時間操作されたか否かを判断する（ステップＳ３２）。制御部５は、ステップＳ３２にて浴室リモコン２の暖房ボタン３が第２所定時間よりも長い時間操作されたと判断した場合は、浴室空調機１の動作を開始する（ステップＳ３４）。制御部５は、ステップＳ３２にて浴室リモコン２の暖房ボタン３が第２所定時間よりも長い時間操作されたと判断していない場合は、後述するステップＳ３３に進む。
【００５２】
制御部５は、ステップＳ３２にて浴室リモコン２の暖房ボタン３が第２所定時間よりも長い時間操作されたと判断していない場合は、浴室リモコン２の暖房ボタン３が複数回連続して操作されたか否かを判断する（ステップＳ３３）。制御部５は、ステップＳ３３にて浴室リモコン２の暖房ボタン３が複数回連続して操作されたと判断した場合は、浴室空調機１の動作を開始する（ステップＳ３４）。制御部５は、ステップＳ３３にて浴室リモコン２の暖房ボタン３が複数回連続して操作されたと判断していない場合は、浴室空調機１の動作は停止を継続する（ステップＳ３５）。
【００５３】
上述した構成とすることで、浴室リモコンで洗面所空調機を操作する際にリモコンのデザイン性が低下することを抑制するとともに、使い勝手が低下することを抑制する浴室システムを提供することができる。
【符号の説明】
【００５４】
１・・・浴室空調機
２・・・浴室リモコン
３・・・暖房ボタン
４・・・洗面所空調機
５・・・制御部
６・・・洗面所リモコン
７・・・浴室暖房ボタン
８・・・２室暖房ボタン
９・・・洗面所暖房ボタン
１０・・・浴室
１１・・・洗面所
１２・・・浴室システム
【図１】
2020051699.tif 000003
【図２】
2020051699.tif 000004
【図３】
2020051699.tif 000005
【図４】
2020051699.tif 000006
【図５】
2020051699.tif 000007